(57)【要約】【課題】１本の電池の使用でも、内蔵される電気回路を構成する各種の負荷に電圧を供給し、使用時の取扱いを良くしてユーザの利便性を向上する。【解決手段】マイク子機２は、収音された音声信号を無線で親機３に送信する。マイク子機２は、１本の電池１６と、電池１６と直列に接続され、電池１６からの突入電流を抑制する突入電流防止回路５１と、大容量コンデンサ５２と、複数の負荷である制御部１０、無線部１１（プリアンプ１１ｚを含む）、パワーアンプ１１Ａ、メモリ１５、表示部１４のそれぞれと大容量コンデンサ５２との間で直列に接続され、大容量コンデンサ５２の出力に基づいて、それぞれ接続される負荷に応じた電圧を出力する複数のＤＣＤＣアップコンバータ５３〜５６及び定電圧レギュレータ５７〜５９の組と、を備える。【選択図】図６
2019129456.tif 000002
【特許請求の範囲】
【請求項１】
収音された音声信号を無線で受信機に送信するマイク装置であって、
１本の電池と、
前記電池と直列に接続され、前記電池からの電流を抑制する電流抑制部と、
前記電流抑制部と複数の負荷のそれぞれとの間で直列に接続され、前記電流抑制部の出力に基づいて、それぞれ接続される負荷に応じた電圧を出力する複数の変圧部と、を備える、
マイク装置。
【請求項２】
前記電流抑制部は、
前記電池からの電流を抑制する抑制回路と、
所定容量を有するコンデンサと、を有する、
請求項１に記載のマイク装置。
【請求項３】
前記負荷として、前記受信機との間で時分割多重通信方式を用いた無線通信を行う無線通信部、を更に備え、
前記無線通信部は、
前記電池からの電流により前記コンデンサに蓄えられた電荷を用いて、収音された前記音声信号を前記受信機に送信する、
請求項２に記載のマイク装置。
【請求項４】
前記電流抑制部は、
第１インピーダンスを有し、前記電池からの電流を抑制する第１抑制回路と、
前記第１インピーダンスより高い又は低いインピーダンスに切替可能であって、前記電池からの電流を抑制する第２抑制回路と、
所定容量を有するコンデンサと、
前記コンデンサに蓄えられた電荷をモニタし、前記電荷に応じて前記第２抑制回路のインピーダンスを切り替えるモニタ回路と、を有し、
前記モニタ回路は、
前記電荷が所定量を超えたと判断した場合に、前記第２抑制回路のインピーダンスを前記第１インピーダンスより低くなるように切り替える、
請求項１に記載のマイク装置。
【請求項５】
前記モニタ回路は、
前記電荷が前記所定量を超えたと判断した場合に、更に、前記複数の変圧部のそれぞれを起動させるための起動信号を前記複数の変圧部のそれぞれに出力する、
請求項４に記載のマイク装置。
【請求項６】
前記複数の変圧部のそれぞれは、
接続された負荷に応じて、前記電池により印加された電圧を昇圧するアップコンバータ、を少なくとも有し、
第ｋ（ｋ：２〜ｎ、ｎ：変圧部の総数を示す正の整数）番目のアップコンバータは、第（ｋ−１）番目のアップコンバータが起動した後に起動する、
請求項１に記載のマイク装置。
【請求項７】
前記複数の変圧部のそれぞれは、
接続された負荷に応じて、前記電池により印加された電圧を昇圧するアップコンバータと、
前記アップコンバータの出力電圧を基に、前記接続された負荷の動作に必要な電圧を前記負荷に出力するレギュレータと、を有する、
請求項１〜５のうちいずれか一項に記載のマイク装置。
【発明の詳細な説明】
【技術分野】
【０００１】
本開示は、収音された音声信号を無線で受信機に送信するマイク装置に関する。
【背景技術】
【０００２】
従来、収音された音声信号を無線で受信機に送信するための時分割通信を行うマイク装置の一例としてのワイヤレスマイクを駆動する場合、マイク装置に内蔵された各種の電気回路を構成するそれぞれの時分割に変動する負荷に十分な電流を供給するために、通常、単３型の電池が２本以上、あるいは電圧の大きいリチウムイオン電池等が使用される。一方で、単３型の電池が１本しか使用されないと、供給可能な電流が限られるため、例えば電源のオン時や無線通信の送信時等においては、大きな電流が流れて十分な電圧を供給できず、負荷を駆動できない場合があった。
【０００３】
特許文献１には、１つの親機と複数のマイク子機とを備え、親機は各マイク子機と時分割多重通信方式で無線通信を行う無線通信システムが開示されている。この無線通信システムでは、親機は、他の無線通信システムへの電波干渉を抑制するために、遠方のマイク子機への送信電力を通信維持可能な程度に抑制する。
【先行技術文献】
【特許文献】
【０００４】
【特許文献１】特開２０１５−５０７２７号公報
【発明の概要】
【発明が解決しようとする課題】
【０００５】
しかし、特許文献１を含む従来の技術において、上述したワイヤレスマイクに単３型の電池を２本使用した場合には、例えばワイヤレスマイクの筐体（例えば電池が内蔵された側の筐体）が重くなったり大きくなったりするため、ワイヤレスマイクの筐体の重量感のバランス感覚が良くなく、長時間にわたって手に持ち続けて話をすること等取扱いが困難となることがあった。また、電池の本数が多くなると、ワイヤレスマイクを小型化することが難しく、マイクのデザイン性を損ねることもあり得る。
【０００６】
本開示は、上述した従来の状況に鑑みて案出され、１本の電池の使用でも、内蔵される電気回路を構成する各種の負荷に電圧を供給し、使用時の取扱いを良くしてユーザの利便性を向上するマイク装置を提供することを目的とする。
【課題を解決するための手段】
【０００７】
本開示は、収音された音声信号を無線で受信機に送信するマイク装置であって、１本の電池と、前記電池と直列に接続され、前記電池からの電流を抑制する電流抑制部と、前記電流抑制部と複数の負荷のそれぞれとの間で直列に接続され、前記電流抑制部の出力に基づいて、それぞれ接続される負荷に応じた電圧を出力する複数の変圧部と、を備える。
【発明の効果】
【０００８】
本開示によれば、１本の電池の使用でも、内蔵される電気回路を構成する各種の負荷に電圧を供給でき、使用時の取扱いを良くしてユーザの利便性を向上できる。
【図面の簡単な説明】
【０００９】
【図１】実施の形態１に係るワイヤレスマイクシステムのシステム構成例を概略的に示す図
【図２】親機とマイク子機との間で無線信号が送受信されるタイムスロットと、タイムスロットごとのマイク子機に流れる電流量の変化例とを示す説明図
【図３】ＤＥＣＴ通信における無線信号のフレーム構成例を示す図
【図４】マイク子機のハードウェア構成例を示すブロック図
【図５】比較例に係る電源部の概略構成例を示す図
【図６】実施の形態１に係る電源部の概略構成例を示す図
【図７】実施の形態２に係る抑制回路の構成例を示す図
【図８】実施の形態２に係るマイク子機の起動動作手順の一例を詳細に説明するフローチャート
【図９】実施の形態３に係る抑制回路の構成例を示す図
【図１０】実施の形態３に係るマイク子機の起動動作手順の一例を詳細に説明するフローチャート
【図１１】実施の形態４に係る電源部の概略構成例を示す図
【図１２】実施の形態４に係るマイク子機の起動動作手順の一例を詳細に説明するフローチャート
【発明を実施するための形態】
【００１０】
以下、添付図面を適宜参照しながら、本開示に係るマイク装置を具体的に開示した各実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１１】
各実施の形態に係るマイク装置は、収音された音声信号を無線で親機に送信するワイヤレスマイクである。親機と複数のワイヤレスマイクとにより構成されるワイヤレスマイクシステムにおいて、複数のワイヤレスマイクのそれぞれは、親機との間で、例えば時分割多元接続（ＴＤＭＡ：Time Division Multiple Access）方式で通信する。以下の説明では、ワイヤレスマイクを、単に「マイク子機」という。
【００１２】
（実施の形態１）
図１は、実施の形態１に係るワイヤレスマイクシステム５のシステム構成例を概略的に示す図である。ワイヤレスマイクシステム５は、複数（例えば、ｍ個）のマイク子機２と、受信機の一例としての親機３と、ミキサー受信機８と、を含む構成である。ｍは２以上の整数である。以下の説明において、複数のマイク子機２Ｃ１，２Ｃ２，…，２Ｃｍのそれぞれを特に区別しない場合、マイク子機２という。
【００１３】
マイク子機２と親機３との間では、無線信号（例えば、音声信号もしくは制御信号）が、時分割多元接続方式の通信規格（例えば、時分割多重通信方式）に則った無線回線を通じて送受信される。マイク子機２の使用者（ユーザ）はマイク子機２に音声を入力する（例えば声を発する）と、マイク子機２により収音された音声信号は、無線回線を通じて親機３に送信される。各実施の形態において、時分割多重通信方式の通信規格として、２０１１年に策定されたディジタルコードレス電話機の標準規格である周波数帯１．９ＧＨｚのＤＥＣＴ（Digital Enhanced Cordless Telecommunications）方式を例示して説明する。
【００１４】
図１に示す親機３は、各マイク子機２からの音声信号を受信可能なそれぞれの親機（例えば、ｋ個）の親機ＷＵ１，ＷＵ２，…，ＷＵｋを総称した包括的な親機群として図示されているが、親機３は１台の親機として理解して差し支えない。つまり、以下の説明では、親機ＷＵ〜Ｗｋのそれぞれを１台の親機３と置き換えてもよい。ｋは１以上の整数である。図１の説明において、複数の親機ＷＵ１〜ＷＵｋを特に区別しない場合、親機ＷＵという場合がある。親機ＷＵにより受信された音声信号に基づいて、音声を親機ＷＵに内蔵されたスピーカ（図示略）で音声出力して再生し、また更に、ミキサー受信機８にも出力する。ミキサー受信機８は、親機３から入力された１つ以上の音声信号を合成し、音声合成後の音声信号を内蔵スピーカ８１から音声出力する。
【００１５】
図２は、親機３とマイク子機２との間で無線信号が送受信されるタイムスロットと、タイムスロットごとのマイク子機２に流れる電流量の変化例とを示す説明図である。以下、タイムスロットを「スロット」と略記する。図３は、ＤＥＣＴ通信における無線信号のフレーム構成例を示す図である。親機３とそれぞれのマイク子機２との間では、１フレーム期間ごとに、通信規格に従って定まる既定数（例えば、ｎ個）のスロットを用いて無線信号が送受信される。通信規格がＤＥＣＴ方式である場合、１フレーム期間が１０ｍｓに対応し、例えばｎ＝２４スロット（つまり、ダウンリンク用に１２スロット、アップリンク用に１２スロット）で構成される。
【００１６】
ＤＥＣＴ方式を用いた無線通信（以下、「ＤＥＣＴ通信」という）では、一般的に、ダウンリンク用のスロットＳ０〜スロットＳ１１は、親機３からそれぞれのマイク子機２への通信に使用される。アップリンク用のスロットＳ１２〜スロットＳ２３は、それぞれのマイク子機２から親機３への通信に使用される。親機３とマイク子機２との間の通信では、スロットＳ０とスロットＳ１２、スロットＳ１とスロットＳ１３等のように、１／２周期に対応する５ｍｓ離れた位置関係にあるスロットを組み合わせて（つまり、ペアスロットで）使用される。このペアスロットは、１つのチャネル（例えば、制御情報を送受信するための制御チャネル、音声信号を送受信するための通信チャネル）を構成する。
【００１７】
また、親機３からマイク子機２へ送信が行われる１２スロット中、少なくとも１つのスロット（例えばスロットＳ０）は、親機３からそれぞれのマイク子機２への制御情報が含まれた制御信号を送るための制御スロットとして使用される。制御信号は、１フレーム期間を構成する既定数のスロットのうち１つのスロットを用いて、親機３からそれぞれのマイク子機２に送信される。なお、親機３からマイク子機２への制御信号の送信中に電波干渉が発生した場合、空きスロット（言い換えると、未使用のスロット）を制御スロットとして使用してもよい。例えば、スロットＳ０で電波干渉等が発生した場合、親機３は、制御スロットをスロットＳ０から他の空いているスロット（例えば、切替用のスロット）に切り替えて使用してよい。これと連動して、制御スロットに対する応答スロット（つまり、制御スロットに対する応答に用いられ、マイク子機２から親機３への送信に使用されるスロット）は、スロットＳ１２から他の空いているスロット（例えば、別の切替用のスロット）に変更される。このように、親機３は、ＤＥＣＴ通信の１フレーム期間ごとに、制御チャネルや通信チャネルとして使用するスロットを、親機３とマイク子機２のそれぞれとの間の電波環境（言い換えると、電波の受信状況）等に応じて動的に決定する。例えば、コードレスフォン等の機器では、前半のスロットＳ０〜Ｓ１１では親機が送信側で子機が受信側であり、後半のスロットＳ１２〜Ｓ２３では親機が受信側で子機が送信側である。
【００１８】
一方、ワイヤレスマイクシステム５では、親機３は、複数のマイク子機２のそれぞれから送信される音声信号を受信する。また、親機３は、各マイク子機２に対して１フレーム期間中に１回、制御信号を送信すればよい。従って、本実施の形態では、前半のスロットＳ０〜Ｓ１１を、マイク子機２が送信側となるアップリンク用のスロット（通信スロット）として使用できるように、親機３は、スロットＳ０〜Ｓ１１を動的に決める。
【００１９】
例えば、親機３は、１フレーム期間内のスロットＳ０を、制御信号を送るための制御チャネルとして決定し、この制御チャネルを通じて制御信号をそれぞれのマイク子機２に送信する。制御信号に含まれる制御情報には、例えばシステム情報、スロット情報、キャリア情報が含まれる。具体的には、制御情報は、例えば、キャリアかつスロットを用いた通信相手であるマイク子機２の識別情報、そのキャリアやスロットの識別情報、各スロットのビジー状態、使用可能な空きスロットの指定、接続されているマイク子機の数、親機の無線エラー状況、無線干渉によるスロット切り換え等の情報が含まれる。
【００２０】
ＤＥＣＴ通信の１フレームを構成するそれぞれのスロットは、４１６．６７μｓ（＝１０ｍｓ／２４）の時間幅で規定され、具体的には、同期信号フィールドと制御ビットフィールドとＣＲＣ１フィールドとデータビットフィールドとＣＲＣ２フィールドとから構成される。同期信号フィールドは、ビット同期を取るためのデータ列とスロットの同期を取るためのデータ列とから構成される固定データを含む。制御ビットフィールドは、上述した制御信号を含む。制御信号に含まれる制御情報の量が多くなる場合、例えば制御ビットフィールドだけではなく、データビットフィールドの領域の一部を使用してもよい。ＣＲＣ１フィールドは、制御ビットフィールドのデータ列に基づいて算出されたＣＲＣ（Cyclic Redundancy Check：巡回冗長検査）符号を含み、制御ビットフィールドの伝送誤り検出に用いられる。データビットフィールドは音声通信に用いられる。ＣＲＣ２フィールドは、データビットフィールドのデータ列に基づいて算出されたＣＲＣ符号を含み、データビットフィールドの伝送誤り検出に用いられる。
【００２１】
図２において、スロットＳ０では、親機３はマイク子機２に制御信号を送信する。マイク子機２が親機３から送信された制御信号を受信する際、マイク子機２にはその中に内蔵される無線部１１等（図４参照）の受信回路を駆動するための電力を必要とし、マイク子機２における電流量は多くなる。
【００２２】
スロットＳ１，Ｓ２では、マイク子機２は送受信動作をしないため、マイク子機２には主に制御部１０が駆動するための僅かな電流しか流れない。
【００２３】
スロットＳ３では、スロットＳ４における無線信号（例えば、音声信号）の送信の準備のために、無線部１１等の送信回路を駆動するための電力を必要とし、マイク子機２における電流量は多くなる。
【００２４】
スロットＳ４では、マイク子機２が親機３に対し音声信号を送信するので、マイク子機２には無線部１１やパワーアンプ１１Ａ等を駆動するための大きな電力を必要とし、マイク子機２における電流量は１フレーム期間のスロットにおいて最も大きくなる。
【００２５】
スロットＳ５〜Ｓ１４では、マイク子機２は送受信動作をしないため、マイク子機２にはスロットＳ１，Ｓ２と同様に僅かな電流しか流れない。
【００２６】
スロットＳ１５，Ｓ１６は、スロットＳ３，Ｓ４と同じように無線部１１やパワーアンプ１１Ａに電力が必要となるため、マイク子機２における電流量は多くなり、スロットＳ１６ではスロットＳ４と同様に１フレーム期間のスロットにおいて最も大きくなる。以後、同様の動作が行われる。
【００２７】
（マイク子機のハードウェア構成）
図４は、マイク子機２のハードウェア構成例を示すブロック図である。マイク子機２は、制御部１０と、無線部１１と、パワーアンプ１１Ａと、送受切換スイッチ１１Ｂと、送受切換スイッチ１１Ｂに接続されたアンテナ１２とを含む構成である。
【００２８】
制御部１０は、例えばＣＰＵ（Central Processing Unit）、ＭＰＵ（Micro Processing Unit）、ＤＳＰ（Digital Signal Processor）又はＦＰＧＡ（Field Programmable Gate Array）等のプロセッサを用いて構成され、マイク子機２の各部の動作を制御する。制御部１０は、送受切換スイッチ１１Ｂにおける無線信号の送信あるいは受信に切り換えるための切換信号を送受切換スイッチ１１Ｂに出力する。
【００２９】
無線通信部の一例としての無線部１１は、送信信号を入力段で増幅するためのプリアンプ１１ｚを有する。
【００３０】
無線通信部の一例としてのパワーアンプ１１Ａは、プリアンプ１１ｚで増幅された送信信号を所定のレベルにまで増幅する。
【００３１】
無線通信部の一例としての送受切換スイッチ１１Ｂは、例えば制御部１０からの切換信号に応じて、アンテナ１２を介して送受信される無線信号を送信あるいは受信に切り替える。
【００３２】
また、マイク子機２は、操作部１３と、表示部１４と、メモリ１５とを含む構成である。
【００３３】
操作部１３は、ユーザインタフェースとして各種のボタンを有する。
【００３４】
表示部１４は、操作部１３による設定内容等を表示する。
【００３５】
メモリ１５は、マイク子機２を動作させるための各種の制御プログラム及びデータや各種の設定値のデータを記憶する以外に、音声処理部１８により生成された音声データを一時的に記憶する。
【００３６】
また、マイク子機２は、電池１６と、電源スイッチ１７と、電源部５０と、音声処理部１８と、マイクロフォン１９とを含む構成である。
【００３７】
電池１６は、実施の形態１に係るマイク子機２を動作可能な最少数の電池（例えば、１本の電池）で構成される。電池１６は、例えば１．０Ｖ〜１．５Ｖの出力電圧を有する、１本の電池である。なお、最少数の電池は、１本の電池に限定されない。例えば、マイク子機２が電圧２．０Ｖ〜３．０Ｖを出力する電池を必要とする場合、従来、突入電流が発生してもマイク子機を起動できるように、４本の電池を使用していたとする。この場合、２本の電池を直列に接続すれば、電圧２．０Ｖ〜３．０Ｖを出力可能であるので、最少数の電池は２本である。また、電池１６は、例えば単３型の電池である。なお、電池の大きさは、単３型の電池に限らず、単１型の電池、単２型の電池、単４型の電池等であってもよい。また、電池の種類は、アルカリ乾電池、マンガン乾電池等の一次電池であってもよいし、充電可能なニッケル・水素電池、ニッケル・カドミウム電池等の二次電池であってもよい。
【００３８】
電源スイッチ１７は、マイク子機２の電源をオン又はオフに切り替えるためのスイッチであり、ユーザによって操作される。
【００３９】
電源部５０は、電池１６の負荷であるマイク子機２の各部に電池電圧を印加する。電池１６の負荷であるマイク子機２の各部は、制御部１０、プリアンプ１１ｚを含む無線部１１、パワーアンプ１１Ａ、音声処理部１８、メモリ１５及び表示部１４である。電源部５０の内部構成の詳細については後述する。
【００４０】
マイクロフォン１９は、例えばユーザが発した音声を収音する。
【００４１】
音声処理部１８は、マイクロフォン１９により収音された音声信号に対して既定の音声処理を行うことで、ユーザの発した音声の音声データ（音声信号）を生成する。音声処理では、音声圧縮やノイズ除去等が行われる。
【００４２】
（比較例の電源部）
先ず始めに、実施の形態１に係るマイク子機の比較例となるマイク子機の電源部について、図５を参照して説明する。図５は、比較例に係る電源部１５０の概略構成例を示す図である。なお、図５に示すマイク子機において、比較例に係る電源部以外の各部の構成は、実施の形態１に係るマイク子機と同じでよいため、同一の符号を付している。
【００４３】
電源部１５０は、ＤＣＤＣアップコンバータ１５３と、３つの定電圧レギュレータ１５７，１５８，１５９とを有する。
【００４４】
ＤＣＤＣアップコンバータ１５３は、電池１６の電圧（例えば１．２Ｖ）を所定の電圧Ｖ１１（例えば３．６Ｖ）に昇圧し、その電圧Ｖ１１を３つの定電圧レギュレータ１５７，１５８，１５９にそれぞれ供給する。
【００４５】
定電圧レギュレータ１５７は、電池１６の電圧Ｖ１１を入力し、電圧Ｖ１１より低い電圧Ｖ１２（例えば１．８Ｖ）を出力するロードロップアウト（ＬＤＯ：Low Dropout）であり、電圧Ｖ１２を負荷である制御部１０に印加する。
【００４６】
定電圧レギュレータ１５８は、ロードロップアウト（ＬＤＯ）であり、電池１６の電圧Ｖ１１を入力して電圧Ｖ１３（例えば３．０Ｖ）を出力し、負荷である無線部１１に印加する。
【００４７】
定電圧レギュレータ１５９は、ロードロップアウト（ＬＤＯ）であり、電池１６の電圧Ｖ１１を入力して電圧Ｖ１４（例えば３．３Ｖ）を出力し、負荷であるメモリ１５に印加する。
【００４８】
また、ＤＣＤＣアップコンバータ１５３は、定電圧レギュレータを介すること無く、電圧Ｖ１１を負荷である表示部１４に印加する。
【００４９】
電源部１５０では、電源スイッチ１７による電源オン時、電池１６からＤＣＤＣアップコンバータ１５３に突入電流が流れる。突入電流は、電源オンによって流れ始め、流れ始めの初期において定常電流値より大きなピーク電流値に達し、その後、徐々に低下し、安定した定常電流値に至る。このため、突入電流時には、電池１６の電圧（電池電圧）が低下し、マイク子機の起動条件（例えば、電池電圧が所定値以上であること）を満たせず、マイク子機が起動しないことも想定される。
【００５０】
また、ＤＣＤＣアップコンバータ１５３は、入力電圧に対し３倍近くまで電圧を増幅しなければならないので、電池１６の使用効率が悪く、電池１６の寿命が短くなることも想定される。また、負荷が制御部１０である場合、電圧１．８Ｖが必要であるにもかかわらず、定電圧レギュレータ１５７の入力電圧はそれよりかなり高い電圧３．６Ｖである。定電圧レギュレータ１５７では、入力電圧３．６Ｖと出力電圧１．８Ｖの差が大きく、定電圧制御を行う際の電力損失が大きくなり、効率的でない。
【００５１】
また、ＤＥＣＴ通信等の時分割多重通信では、送信時に無線部１１やパワーアンプ１１Ａに大きな電流が流れることで、電池電圧が急激に低下する。このため、無線部１１や制御部（プロセッサ）１０への印加電圧が規定電圧以下となり、プロセッサがシャットダウンすることも想定される。
【００５２】
このため、実施の形態１では、電源スイッチのオンによる突入電流を防止し、また、電力損失を減らし、また、送信時に大きな電流を供給可能とする、電源部５０を有する（図６参照）。
【００５３】
（実施の形態１の電源部）
図６は、実施の形態１に係る電源部５０の概略構成例を示す図である。電源部５０は、突入電流防止回路５１、大容量コンデンサ５２、４つのＤＣＤＣアップコンバータ５３〜５６、及び４つの定電圧レギュレータ５７〜５９を有する。電源スイッチ１７がオンになると、マイク子機２に電池１６の電圧が印加される。
【００５４】
電流抑制部の一例としての突入電流防止回路５１は、電源オン時に電池１６からマイク子機２に大きな突入電流が流れることを防止し、大容量コンデンサ５２に突入時の電流が流れるようにする。突入電流防止回路５１は、電流量を制限するものであればよく、例えば定電流回路であってもよいし、抵抗器であってもよい。
【００５５】
電流抑制部の一例としての大容量コンデンサ５２は、突入電流の電流を電荷として蓄積可能な静電容量を有する大容量低損失コンデンサである。電源オン時から突入時の電流が抑えられたピーク電流値となり、安定した定常電流値に達するまでの時間が経過すると、大容量コンデンサ５２は、所定の電圧まで充電（つまり、電荷が蓄電）される。そして、大容量コンデンサ５２は、充電された安定した電圧で後段のＤＣＤＣアップコンバータ５３〜５６に電流を供給可能となる。
【００５６】
変圧部の一例としてのＤＣＤＣアップコンバータ５３は、電池１６の電圧Ｖ１（例えば１．２Ｖ）を電圧Ｖ２（例えば２．２Ｖ）に昇圧し、定電圧レギュレータ５７に出力する。変圧部の一例としての定電圧レギュレータ５７は、ロードロップアウト（ＬＤＯ：Low Dropout）であり、ＤＣＤＣアップコンバータ５３で昇圧された電圧Ｖ２を入力し、負荷である制御部１０に印加される電圧Ｖ２Ａ（例えば１．８Ｖ）が一定になるように電圧制御を行う。なお、定電圧レギュレータ５７は負荷の要求に応じて必ずしも必要とは限らない（例えば、ＤＣＤＣアップコンバータ５６の出力をそのまま表示部１４において使用する等）。以下の説明では、定電圧レギュレータが必要な場合を例示して説明する。
【００５７】
変圧部の一例としてのＤＣＤＣアップコンバータ５４は、電池１６の電圧Ｖ１（例えば１．２Ｖ）を電圧Ｖ３１（例えば３．３Ｖ）に昇圧し、定電圧レギュレータ５８Ａに出力する。変圧部の一例としての定電圧レギュレータ５８Ａは、ロードロップアウト（ＬＤＯ）であり、ＤＣＤＣアップコンバータ５４で昇圧された電圧Ｖ３１を入力し、負荷である無線部１１（プリアンプ１１ｚを含む）に印加される電圧Ｖ３１Ａ（例えば３．０Ｖ）が一定になるように電圧制御を行う。
【００５８】
変圧部の一例としてのＤＣＤＣアップコンバータ５５は、電池１６の電圧Ｖ１（例えば１．２Ｖ）を電圧Ｖ３２（例えば２．８Ｖ）に昇圧し、定電圧レギュレータ５８Ｂに出力する。変圧部の一例としての定電圧レギュレータ５８Ｂは、ロードロップアウト（ＬＤＯ）であり、ＤＣＤＣアップコンバータ５５で昇圧された電圧Ｖ３２を入力し、負荷であるパワーアンプ１１Ａに印加される電圧Ｖ３２Ａ（例えば２．５Ｖ）が一定になるように電圧制御を行う。
【００５９】
変圧部の一例としてのＤＣＤＣアップコンバータ５６は、電池１６の電圧Ｖ１（例えば１．２Ｖ）を電圧Ｖ４（例えば３．６Ｖ）に昇圧し、定電圧レギュレータ５９に出力する。変圧部の一例としての定電圧レギュレータ５９は、ロードロップアウト（ＬＤＯ）であり、ＤＣＤＣアップコンバータ５６で昇圧された電圧Ｖ４を入力し、負荷であるメモリ１５に印加される電圧Ｖ４Ａ（例えば３．３Ｖ）が一定になるように電圧制御を行う。また、ＤＣＤＣアップコンバータ５６は、定電圧レギュレータを介すること無く、電圧Ｖ４を負荷である表示部１４に印加する。
【００６０】
このように、実施の形態１に係るマイク子機２の電源部５０では、電源スイッチ１７による電源オン時、電池１６から供給される電流は、突入電流防止回路５１によって抑えられ、突入電流に比べて少ない突入時の電流で大容量コンデンサ５２は充電される。大容量コンデンサ５２の電圧が電池１６に近い電圧になると、大容量コンデンサ５２を介してＤＣＤＣアップコンバータ５３〜５６に電流が供給される。電池１６からの突入時の電流が少なく抑えられるので、電池電圧の急激な低下を抑制できる。また、電池１６の電圧が急に低下しなくなることで、マイク子機の起動条件（例えば、電池電圧が所定値以上であること）を維持することができ、マイク子機が起動しなくなる事態を回避できる。
【００６１】
また、各負荷に印加される電圧に見合った電圧を出力する複数のＤＣＤＣアップコンバータ５３〜５６が設けられるので、各ＤＣＤＣアップコンバータ５３〜５６から各定電圧レギュレータ５７〜５９に入力される、入力電圧と出力電圧の差を小さくすることができる。従って、各定電圧レギュレータで発生する電力の損失を抑制可能となる。これにより、ＤＣＤＣアップコンバータごとに高効率な電流供給を行うことができる。また、無線送信に使用される無線部１１（プリアンプ１１ｚを含む）とパワーアンプ１１Ａとで、電源（ＤＣＤＣアップコンバータと定電圧レギュレータの組）が分けられる。従って、電源部５０は、無線部１１（プリアンプ１１ｚを含む）とパワーアンプ１１Ａそれぞれに適したＤＣＤＣアップコンバータと定電圧レギュレータを高効率に動作させることができる。よって、電池の消費量が減り、電池の寿命を延伸できる。
【００６２】
また、時分割多重通信では、突入時以外の送信時に無線部１１に大きな電流が流れるが、大容量コンデンサ５２に多くの電荷が蓄えられているので、無線部１１に流れる電流を大容量コンデンサ５２に蓄えられた電荷で賄うことができる。従って、電池電圧が急激に低下することなく、プロセッサがシャットダウンすることを回避できる。
【００６３】
以上により、実施の形態１に係るマイク子機２は、収音された音声信号を親機３に無線通信する。マイク子機２は、１本の電池１６と、電池１６と直列に接続され、電池１６からの突入電流を抑制する突入電流防止回路５１及び大容量コンデンサ５２と、複数の負荷である制御部１０、無線部１１（プリアンプ１１ｚを含む）、パワーアンプ１１Ａ、メモリ１５、表示部１４のそれぞれと大容量コンデンサ５２との間で直列に接続され、大容量コンデンサ５２の出力に基づいて、それぞれ接続される負荷に応じた電圧を出力する複数のＤＣＤＣアップコンバータ５３〜５６及び定電圧レギュレータ５７〜５９の組と、を備える。
【００６４】
これにより、マイク子機２は、１本の電池１６の使用でも、電源スイッチ１７のオンによる電池１６から負荷側への突入電流を防止でき、内蔵される電気回路を構成する各種の負荷（例えば、制御部１０、無線部１１、パワーアンプ１１Ａ、メモリ１５、表示部１１４）に必要な電圧を供給できる。従って、起動時に大きな電流が流れることなく、通常の電流値でマイク子機を駆動できる。よって、電池１６は、例えば単３型の電池１本で使用可能であり、マイク子機２は、ユーザの使用時の取扱いを良くして利便性を向上できる。
【００６５】
また、抑制回路の一例としての突入電流防止回路５１は、電池１６からの突入電流を抑制する。コンデンサの一例としての大容量コンデンサ５２は、電池１６からの突入時の電流を電荷として蓄え、後段のＤＣＤＣアップコンバータ５３，５４，５５，５６以降に十分な電流を供給可能な容量（所定容量）を有する。これにより、突入電流防止回路５１として、例えば抵抗器を用いる場合、抵抗器と大容量コンデンサを追加するだけで、簡単に突入電流を防止し、マイク子機２を駆動させるために必要な電池１６の本数を減らすことができる。
【００６６】
また、マイク子機２は、親機３との間で時分割多重通信方式を用いた無線通信を行う無線部１１及びパワーアンプ１１Ａを備える。無線部１１及びパワーアンプ１１Ａは、電池１６からの電流により大容量コンデンサ５２に蓄えられた電荷を用いて、収音された音声信号を親機３に送信する。これにより、マイク子機２は、１本の電池１６の使用でも、無線通信の送信時に大きな電流を無線部１１及びパワーアンプ１１Ａに供給できる。
【００６７】
また、ＤＣＤＣアップコンバータ５３，５４，５５，５６は、それぞれ接続された負荷に応じて、電池１６により印加された電圧を昇圧する。定電圧レギュレータ５７，５８Ａ，５８Ｂ，５９は、各ＤＣＤＣアップコンバータ５３，５４，５５，５６の出力電圧を基に、接続された負荷の動作に必要な電圧を負荷に出力する。これにより、定電圧レギュレータ５７〜５９の入力電圧と出力電圧との差を小さくすることができ、電力損失を減らすことができる。
【００６８】
（実施の形態２）
実施の形態１に係るマイク子機２の電源部５０では、突入電流防止回路５１によって大容量コンデンサ５２に流れる突入電流を抑えていた。実施の形態２に係るマイク子機２の電源部５０では、突入電流として流れる電流を一定電流に抑える例を説明する。
【００６９】
実施の形態２に係るマイク子機２の電源部５０は、抑制回路６０Ａを除き、実施の形態１に係るマイク子機２の電源部５０と同一の構成を有するため、実施の形態１と同一の構成要素については同一の符号を付すことで、その説明を簡略化又は省略する。
【００７０】
図７は、実施の形態２に係る抑制回路６０Ａの構成例を示す図である。抑制回路６０Ａは、電流抑制回路７１と、突入電流防止回路７２と、電圧モニタ回路７３とを含む構成である。
【００７１】
第１抑制回路の一例としての電流抑制回路７１は、電源スイッチ１７と大容量コンデンサ５２との間に設けられ、電池１６からＤＣＤＣアップコンバータ側に流れる電流を一定電流に制御する。電流抑制回路７１は、例えば定電流回路でもよいし、突入電流を低減させる抵抗値（第１インピーダンスの一例）を有する抵抗器でもよい。
【００７２】
第２抑制回路の一例としての突入電流防止回路７２は、電流抑制回路７１と並列に接続され、オン／オフ端子を有する。突入電流防止回路７２は、このオン／オフ端子に入力される電圧モニタ回路７３からの信号（つまり、ＯＮ／ＯＦＦ制御信号）がオン（ＯＮ）時に、電流抑制回路７１の抵抗値よりも小さな抵抗値を有する。一方、突入電流防止回路７２は、電圧モニタ回路７３からの信号（つまり、ＯＮ／ＯＦＦ制御信号）がオフ（ＯＦＦ）時に、電流抑制回路７１の抵抗値よりも大きな抵抗値を有する。突入電流防止回路７２は、例えばロードスイッチを用いて構成される。突入電流防止回路７２のオフ時、突入電流防止回路７２は電流抑制回路７１より高抵抗であるので、電流抑制回路７１を通って電池１６から大容量コンデンサ５２に電流が流れる。一方、突入電流防止回路７２のオン時、突入電流防止回路７２は電流抑制回路７１より低抵抗であるので、突入電流防止回路７２を通って電池１６から大容量コンデンサ５２に電流が流れる。
【００７３】
モニタ回路の一例としての電圧モニタ回路７３は、大容量コンデンサ５２の一端側の電圧を監視（モニタ）し、大容量コンデンサ５２の電圧が既定の一定電圧に達した場合、突入電流防止回路７２をオンさせるための信号（ＯＮ／ＯＦＦ制御信号）を突入電流防止回路７２に出力する。一方、電圧モニタ回路７３は、大容量コンデンサ５２の電圧が既定の一定電圧に達していない場合、突入電流防止回路７２をオフさせるための信号（ＯＮ／ＯＦＦ制御信号）を突入電流防止回路７２に出力する。ここで、ＯＮ／ＯＦＦ制御信号とは、突入電流防止回路７２をオン又はオフさせるための信号である。電圧モニタ回路７３は、例えばリセットＩＣを用いて構成される。電圧モニタ回路７３は、大容量コンデンサ５２に一定電圧となる電荷が蓄積されるまで、突入電流防止回路７２をオフにして大容量コンデンサ５２に一定電流を流し起動時に突入電流が後段のＤＣＤＣアップコンバータ５３〜５６（図６参照）に流れることを防止する。また、大容量コンデンサ５２に一定電圧となる電荷が蓄積された後、突入電流防止回路７２をオンにして起動時以降の電流の流れを円滑にする。
【００７４】
図８は、実施の形態２に係るマイク子機２の起動動作手順の一例を詳細に説明するフローチャートである。
【００７５】
図８において、電源スイッチ１７がオフである場合（つまり、電池１６と抑制回路６０Ａとが非導通である場合）、電源部５０の抑制回路６０Ａでは、電流抑制回路７１、突入電流防止回路７２及び電圧モニタ回路７３のいずれもオフ状態である（ＳＴ１）。
【００７６】
ユーザによって電源スイッチ１７がオンに操作される（ＳＴ２）。通常、電源スイッチ１７がオフの状態では、大容量コンデンサ５２の電圧は低下していると想定される。この場合、電圧モニタ回路７３は、オフ信号（つまり、突入電流防止回路７２をオフにするためのＯＮ／ＯＦＦ制御信号）を突入電流防止回路７２に出力する。突入電流防止回路７２は、オフ（ＯＦＦ）時に高抵抗であるので、ステップＳＴ２による電源スイッチ１７がオンに操作されたことで発生した電池１６からの突入電流は、電流抑制回路７１を通って大容量コンデンサ５２に流れ、電荷として蓄えられる（ＳＴ３）。
【００７７】
なお、直前までマイク子機２を使用していた場合、大容量コンデンサ５２には、残った電荷が溜まっており、一定電圧に近いが電圧を維持している場合も想定される。この場合、電源スイッチ１７がオンになっても、突入時の電流は流れない。電圧モニタ回路７３は、オン信号（つまり、突入電流防止回路７２をオンにするためのＯＮ／ＯＦＦ制御信号）を突入電流防止回路７２に出力する。突入電流防止回路７２は、オン（ＯＮ）時に低抵抗となり、電池１６から大容量コンデンサ５２への電流の流れを円滑にする。
【００７８】
電圧モニタ回路７３は、大容量コンデンサ５２の電圧が一定電圧に達していなければ（ＳＴ４、ＮＯ）、大容量コンデンサ５２の電圧が既定の一定電圧に達するまで待つ。大容量コンデンサ５２の電圧が一定電圧以上になると（ＳＴ４、ＹＥＳ）、電圧モニタ回路７３は、突入電流防止回路７２にオン信号（つまり、突入電流防止回路７２をオンにするためのＯＮ／ＯＦＦ制御信号）を出力する（ＳＴ５）。突入電流防止回路７２は、オン時に低抵抗となる（ＳＴ６）。電池１６からの突入電流は、突入電流防止回路７２を通して大容量コンデンサ５２に供給される。大容量コンデンサ５２を介して、電池電圧がＤＣＤＣアップコンバータ５３，５４，５５，５６に印加されると、ＤＣＤＣアップコンバータ５３〜５６は、それぞれ起動する（ＳＴ７）。ＤＣＤＣアップコンバータ５３〜５６の出力電圧が各定電圧レギュレータ５７，５８Ａ，５８Ｂ，５９に印加されると、マイク子機２の各部は、動作する（ＳＴ８）。また、ＤＣＤＣアップコンバータ５６の出力電圧は、表示部１４に直接印加される。これにより、マイク子機２は、収音動作可能となる。
【００７９】
なお、ステップＳＴ６，ＳＴ７では、突入電流防止回路７２がオンした後、ＤＣＤＣアップコンバータ５３，５４，５５，５６がオンになる場合を示したが、順番が逆になることもある。例えば、ＤＣＤＣアップコンバータ５３，５４，５５，５６のうち、ＤＣＤＣアップコンバータ５３のように、他と比べて動作電圧が低い場合、電圧モニタ回路７３は、オフ信号（つまり、突入電流防止回路７２をオフにするためのＯＮ／ＯＦＦ制御信号）のままであるが、ＤＣＤＣアップコンバータ５３は動作する。従って、ステップＳＴ７では、全てのＤＣＤＣアップコンバータ５３，５４，５５，５６がオンになる場合を想定している。
【００８０】
このように、抑制回路６０Ａでは、大容量コンデンサ５２の電圧が既定の一定電圧に達するまで、電池１６からの突入電流は、電流抑制回路７１を通して大容量コンデンサ５２に充電される。その後、大容量コンデンサ５２の電圧が一定電圧に達すると、電池１６からの電流は、突入電流防止回路７２を通り、大容量コンデンサ５２を介してＤＣＤＣアップコンバータ側に流れる。従って、抑制回路６０Ａは、マイク子機２を安定して起動できる。安定した電流値でマイク子機が動作するので、電池は例えば単３電池１本で使用可能である。
【００８１】
実施の形態２に係るマイク子機２では、電流抑制回路７１は、突入電流を低減させる抵抗値を有し、電池１６からの突入電流を抑制する。突入電流防止回路７２は、電流抑制回路７１の抵抗値（第１インピーダンスの一例）よりも高い又は低い抵抗値（インピーダンス）に切替可能であって、電池１６からの突入電流を抑制する。電圧モニタ回路７３は、大容量コンデンサ５２に蓄えられた電荷による電圧をモニタし、電圧に応じて突入電流防止回路７２の抵抗値を切り替える。電圧モニタ回路７３は、電圧が既定の一定電圧に達した（言い換えると、大容量コンデンサ５２の電荷が所定量を超えたと判断した）場合に、突入電流防止回路７２の抵抗値を電流抑制回路７１の抵抗値より低くなるように切り替える。これにより、大容量コンデンサ５２に電池１６の起動（投入）時に流れる突入電流のピーク電流が抑えられる。従って、大容量コンデンサ５２の劣化を抑え、部品の長寿命化に繋がる。また、マイク子機２内を流れる電流値が相対的に一定値以下に抑えられるので、急速充電にも対応可能である。
【００８２】
（実施の形態３）
実施の形態１では、突入電流防止回路５１によって大容量コンデンサ５２に流れる突入電流を抑えていた。実施の形態２では、突入電流として流れる電流を既定の一定電流に抑え、ＤＣＤＣアップコンバータ５３のように、他と比べて動作電圧が低い場合、電圧モニタ回路７３は、オフ信号（上述参照）のままであるが、ＤＣＤＣアップコンバータ５３は動作可能である。従って、ＤＣＤＣアップコンバータ５３，５４，５５，５６が起動する時期にずれがあった。
【００８３】
実施の形態３では、実施の形態２と同様に電池１６の投入時の突入電流の電流量を一定に抑えつつ、更に、マイク子機２に設けられる各種のＤＣＤＣアップコンバータ５３，５４、５５，５６が起動するタイミングを揃えることで、マイク子機２をより一層安定して起動させる例を説明する。
【００８４】
実施の形態３に係るマイク子機２の電源部５０では、抑制回路６０Ｂを除き、実施の形態１，２に係るマイク子機２の電源部５０と同一の構成を有するため、実施の形態１，２と同一の構成要素については同一の符号を付すことで、その説明を簡略化又は省略する。
【００８５】
図９は、実施の形態３に係る抑制回路６０Ｂの構成例を示す図である。抑制回路６０Ｂは、実施の形態２に係る抑制回路６０Ａと同様、電流抑制回路７１、突入電流防止回路７２、及び電圧モニタ回路７３Ａを有する。電圧モニタ回路７３Ａは、突入電流防止回路７２にＯＮ／ＯＦＦ制御信号を出力するとともに、後段のＤＣＤＣアップコンバータ５３〜５６にもＯＮ／ＯＦＦ制御信号を出力する。ここで、突入電流防止回路７２に出力されるＯＮ／ＯＦＦ制御信号とは、突入電流防止回路７２をオン又はオフさせるための信号である。また、ＤＣＤＣアップコンバータ５３，５４，５５，５６に出力されるＯＮ／ＯＦＦ制御信号とは、ＤＣＤＣアップコンバータ５３，５４，５５，５６をオン又はオフさせるための信号である。
【００８６】
ＤＣＤＣアップコンバータ５３，５４，５５，５６は、それぞれオン／オフ入力端子を有し、オン信号（つまり、該当するＤＣＤＣアップコンバータをオンにするためのＯＮ／ＯＦＦ制御信号）が入力されると、起動して動作状態となる。一方、ＤＣＤＣアップコンバータ５３，５４，５５，５６は、オフ信号（つまり、該当するＤＣＤＣアップコンバータをオフにするためのＯＮ／ＯＦＦ制御信号）が入力されると非動作状態となる。
【００８７】
図１０は、実施の形態３に係るマイク子機２の起動動作手順の一例を詳細に説明するフローチャートである。図１０の説明において、ステップＳＴ１，ＳＴ２，ＳＴ３，ＳＴ４，ＳＴ８の動作は、実施の形態２に係る起動動作手順（図８参照）と同様であるので説明を簡略化又は省略し、異なる動作について説明する。
【００８８】
図１０において、電圧モニタ回路７３Ａは、大容量コンデンサ５２の電圧が既定の一定電圧に達すると（ＳＴ４、ＹＥＳ）、突入電流防止回路７２及びＤＣＤＣアップコンバータ５３，５４，５５，５６のそれぞれにオン信号（つまり、ＤＣＤＣアップコンバータ５３，５４，５５，５６のそれぞれをオンにするためのＯＮ／ＯＦＦ制御信号）を出力する（ＳＴ５Ａ）。突入電流防止回路７２は、実施の形態１と同様に、オン時に低抵抗となる。また、ＤＣＤＣアップコンバータ５３，５４，５５，５６は、オン信号（上述参照）によって一斉に起動し、各定電圧レギュレータ５７，５８Ａ，５８Ｂ，５９のそれぞれに入力電圧に適合した出力電圧（定電圧）を印加する（ＳＴ６Ａ）。ＤＣＤＣアップコンバータ５３，５４，５５，５６の出力電圧が各定電圧レギュレータ５７〜５９に印加されると、マイク子機２の各部は、動作する（ＳＴ８）。また、ＤＣＤＣアップコンバータ５６の出力電圧は、表示部１４に直接印加される。これにより、マイク子機２は、収音動作可能となる。
【００８９】
このように、抑制回路６０Ｂでは、ＤＣＤＣアップコンバータ５３，５４，５５，５６がオンになる前、電池１６からの突入電流は、大容量コンデンサ５２に電荷として蓄えられる。電圧モニタ回路７３Ａからのオン信号によって、ＤＣＤＣアップコンバータ５３，５４，５５，５６が一斉にオンになると、電池１６からの突入電流は、ＤＣＤＣアップコンバータ５３，５４，５５，５６に一斉に供給される。従って、抑制回路６０Ｂは、ＤＣＤＣアップコンバータ５３，５４，５５，５６を一斉にオンにすることができる。ＤＣＤＣアップコンバータ５３，５４，５５，５６が一斉にオンになることで、ＤＣＤＣアップコンバータ５３，５４，５５，５６がバラバラに起動する場合と比べ、マイク子機２が起動していないにも拘わらず、無駄な電力が消費されることを抑制できる。また、十分に充電されていない状態で、マイク子機２が起動することで、マイク子機２の動作が不安定になることを抑制でき、マイク子機２を安定して起動させることができる。
【００９０】
また、大容量コンデンサ５２に一定電圧に達する電荷が蓄えられる前、ＤＣＤＣアップコンバータ５３，５４，５５，５６をオフの状態にしておくことで、それまで間、消費電力を抑えることができる。また、無駄な電力消費が抑えられるで、大容量コンデンサ５２の充電時間が短くなる。なお、実施の形態３の抑制回路６０Ｂは、実施の形態１，２に係るマイク子機と組み合わされて構成されてもよい。
【００９１】
以上により、実施の形態３に係るマイク子機２では、電圧モニタ回路７３Ａは、大容量コンデンサ５２の電圧が一定電圧に達した（大容量コンデンサ５２に蓄えられた電荷が所定量を超えたと判断した）場合に、さらに、ＤＣＤＣアップコンバータ５３，５４，５５，５６を一斉にオンにするオン信号（複数の変圧部のそれぞれを起動させるための起動信号の一例）をＤＣＤＣアップコンバータ５３，５４，５５，５６のそれぞれに出力する。これにより、ＤＣＤＣアップコンバータ５３，５４，５５，５６を一斉にオンにすることができ、マイク子機２の動作が不安定になることを抑制でき、マイク子機２を安定して起動させることができる。
【００９２】
（実施の形態４）
実施の形態１では、突入電流防止回路５１によって大容量コンデンサ５２に流れる突入電流を抑えていた。実施の形態２では、突入電流として流れる電流を一定電流に抑えていた。実施の形態３では、マイク子機２に内蔵される各負荷を一斉に起動させた。実施の形態４では、マイク子機２に内蔵される複数の負荷を優先順位に従って順に起動させる例を説明する。優先順位は、例えば起動して安定になるまでに時間がかかる負荷（例えば制御部１０）を先に起動させ、すぐに起動して安定になる負荷（例えば表示部１４）を後に起動させるように、決定してもよい。
【００９３】
具体的には、実施の形態４では、制御部１０に電流を供給するＤＣＤＣアップコンバータ５３の優先順位が最も高く、無線部１１（プリアンプ１１ｚを含む）及びパワーアンプ１１Ａに電流を供給するＤＣＤＣアップコンバータ５４、５５の優先順位が次に高く、メモリ１５及び表示部１４に電流を供給するＤＣＤＣアップコンバータ５６の優先順位が最も低い。
【００９４】
図１１は、実施の形態４に係る電源部５０Ａの概略構成例を示す図である。電源部５０Ａは、実施の形態１に係る電源部５０とほぼ同一の構成を有しかつ、実施の形態１に係る突入電流防止回路５１の代わりに実施の形態３に係る抑制回路６０Ｂを有するので、同一の構成については同一の符号を付すことで説明を簡略化又は省略する。
【００９５】
電源部５０Ａは、遅延器８４，８２を有する。遅延器８４は、ＤＣＤＣアップコンバータ５３の出力と、ＤＣＤＣアップコンバータ５４，５５の各オン／オフ端子とを繋ぐ信号線に介在し、ＤＣＤＣアップコンバータ５３から出力されるＤＣＤＣアップコンバータ５４，５５のオン信号又はオフ信号を遅延させる。また、遅延器８２は、ＤＣＤＣアップコンバータ５４の出力と、ＤＣＤＣアップコンバータ５６のオン／オフ端子とを繋ぐ信号線に介在し、ＤＣＤＣアップコンバータ５４から出力されるＤＣＤＣアップコンバータ５６のオン信号又はオフ信号を遅延させる。
【００９６】
電源部５０Ａでは、電圧モニタ回路７３Ａは、突入電流防止回路７２にオン／オフ信号を出力するとともに、後段のＤＣＤＣアップコンバータ５３だけにオン／オフ信号を出力する。ＤＣＤＣアップコンバータ５３の出力電圧は、オン／オフ信号として、遅延器８４を介してＤＣＤＣアップコンバータ５４，５５のオン／オフ端子に入力される。また、ＤＣＤＣアップコンバータ５４の出力電圧は、オン／オフ信号として、遅延器８２を介してＤＣＤＣアップコンバータ５６のオン／オフ端子に入力される。
【００９７】
大容量コンデンサ５２の電圧が既定の一定電圧に達すると、最初にＤＣＤＣアップコンバータ５３が起動し、次に、ＤＣＤＣアップコンバータ５４，５５が起動し、最後にＤＣＤＣアップコンバータ５６が起動する。ＤＣＤＣアップコンバータ５４，５５は、無線部１１（プリアンプ１１ｚを含む）及びパワーアンプ１１Ａ向けに電流を供給するので、同時に起動することで、無線通信における送信動作が安定する。
【００９８】
図１２は、実施の形態４に係るマイク子機２の起動動作手順の一例を詳細に説明するフローチャートである。図１２の説明において、ステップＳＴ１，ＳＴ２，ＳＴ３，ＳＴ４，ＳＴ８の動作は、実施の形態３に係る起動動作手順（図１０参照）と同様であるので説明を簡略化又は省略し、異なる動作について説明する。
【００９９】
図１２において、電圧モニタ回路７３Ａは、大容量コンデンサ５２の電圧が既定の一定電圧に達すると（ＳＴ４、ＹＥＳ）、突入電流防止回路７２及びＤＣＤＣアップコンバータ５３にオン信号（つまり、ＤＣＤＣアップコンバータ５３をオンにするためのＯＮ／ＯＦＦ制御信号）を出力する（ＳＴ５Ｂ）。突入電流防止回路７２は、実施の形態１と同様に、オン時に低抵抗となる。ＤＣＤＣアップコンバータ５３（１番目のＤＣＤＣアップコンバータの一例）は、上述したオン信号によって起動し、定電圧レギュレータ５７に入力電圧に適合した出力電圧（定電圧）を印加する（ＳＴ６Ｂ）。また、ＤＣＤＣアップコンバータ５３は、遅延器８４を介してＤＣＤＣアップコンバータ５４，５５にオン信号（つまり、ＤＣＤＣアップコンバータ５４，５５をオンにするためのＯＮ／ＯＦＦ制御信号）を出力する（ＳＴ６Ｃ）。ＤＣＤＣアップコンバータ５４，５５（２番目、３番目のＤＣＤＣアップコンバータの一例）は、上述したオン信号によって起動し、各定電圧レギュレータ５７，５８にそれぞれに入力電圧に適合した出力電圧（定電圧）を印加する。また、ＤＣＤＣアップコンバータ５４は、遅延器８２を介してＤＣＤＣアップコンバータ５６にオン信号（つまり、ＤＣＤＣアップコンバータ５６をオンにするためのＯＮ／ＯＦＦ制御信号）を出力する（ＳＴ６Ｄ）。なお、ＤＣＤＣアップコンバータ５４でなく、ＤＣＤＣアップコンバータ５５が遅延器を介してＤＣＤＣアップコンバータ５６にオン信号を出力してもよい。
【０１００】
ＤＣＤＣアップコンバータ５６は、上述したオン信号によって起動し、定電圧レギュレータ５９に入力電圧に適合した出力電圧（定電圧）を印加する。また、ＤＣＤＣアップコンバータ５６は、定電圧レギュレータを介すること無く、負荷である表示部１４に出力電圧を直接印加する。ＤＣＤＣアップコンバータ５６の出力電圧が定電圧レギュレータ５９に印加されると、マイク子機２の各部は、動作する（ＳＴ８）。これにより、マイク子機２は、収音動作可能となる。
【０１０１】
このように、電源部５０Ａでは、遅延器８４，８２を設けて、各ＤＣＤＣアップコンバータ５３〜５６を起動するタイミングをずらすことで、ＤＣＤＣアップコンバータ５３〜５６への突入時に流れる電流を分散させることができる。また、負荷である制御部１０、無線部１１、パワーアンプ１１Ａ、メモリ１５及び表示部１４の起動を揃えることも可能である。全ての負荷の起動を揃えることで、マイク子機として動作不安定あるいは非動作であるにもかかわらず、一部の負荷に電力が無駄に消費されることを抑制できる。
【０１０２】
なお、ＤＣＤＣアップコンバータ５３に電圧を印加し、負荷である制御部１０を起動させた後、残りのＤＣＤＣアップコンバータ５４，５５，５６を一斉に起動させるように電圧を印加してもよい。また、電源部５０Ａでは、遅延器８４，８２を設けてオン信号を遅延させていたが、ＤＣＤＣアップコンバータの起動に時間がかかる場合、複数のＤＣＤＣアップコンバータを直列に接続するだけでも遅延が生じる。この場合、遅延器を設けなくても済み、遅延器を省くことができる。従って、部品点数が減り、コストアップを抑制できる。また、実施の形態４の電源部５０Ａは、実施の形態１，２に係るマイク子機２と組み合わされて構成されてもよい。
【０１０３】
以上により、実施の形態４におけるマイク子機２では、ＤＣＤＣアップコンバータ５３〜５６のうち、第ｋ（ｋ：２〜ｎ、ｎ：ＤＣＤＣアップコンバータの総数を示す正の整数）番目のＤＣＤＣアップコンバータは、第（ｋ−１）番目のＤＣＤＣアップコンバータが起動した後に起動する。これにより、ＤＣＤＣアップコンバータ５３〜５６への突入電流が一気に起こることなく、ＤＣＤＣアップコンバータ５３〜５６への突入時の電流を分散させることができる。従って、電池の蓄電容量を小さくすることができ、マイク子機２は、最少数、例えば１本の電池で使用可能となる。
【０１０４】
以上、添付図面を参照しながら各種の実施の形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても本開示の技術的範囲に属すると了解される。また、発明の趣旨を逸脱しない範囲において、上述した各種の実施の形態における各構成要素を任意に組み合わせてもよい。
【産業上の利用可能性】
【０１０５】
本開示は、１本の電池の使用でも、内蔵される電気回路を構成する各種の負荷に電圧を供給し、使用時の取扱いを良くしてユーザの利便性を向上するマイク装置として有用である。
【符号の説明】
【０１０６】
２  マイク子機
１０  制御部
１１  無線部
１１Ａ  パワーアンプ
１４  表示部
１５  メモリ
１６  電池
１７  電源スイッチ
５０  電源部
５１、７２  突入電流防止回路
５２  大容量コンデンサ
５３、５４、５５、５６  ＤＣＤＣアップコンバータ
５７、５８Ａ、５８Ｂ、５９  定電圧レギュレータ
６０Ａ、６０Ｂ  抑制回路
７１  電流抑制回路
７３  電圧モニタ回路
【図１】
2019129456.tif 000003
【図２】
2019129456.tif 000004
【図３】
2019129456.tif 000005
【図４】
2019129456.tif 000006
【図５】
2019129456.tif 000007
【図６】
2019129456.tif 000008
【図７】
2019129456.tif 000009
【図８】
2019129456.tif 000010
【図９】
2019129456.tif 000011
【図１０】
2019129456.tif 000012
【図１１】
2019129456.tif 000013
【図１２】
2019129456.tif 000014
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
収音された音声信号を無線で受信機に送信するマイク装置であって、
１本の電池と、
前記電池と直列に接続され、所定容量を有するコンデンサを有して前記電池からの電流を抑制する電流抑制部と、
前記電流抑制部と複数の負荷のそれぞれとの間で直列に接続され、前記電流抑制部の出力に基づいて、それぞれ接続される負荷に応じた電圧を出力する複数の変圧部と、
前記負荷として、前記受信機との間で時分割多重通信方式を用いた無線通信を行う無線通信部と、を備え、
前記無線通信部は、
前記電池からの電流により前記コンデンサに蓄えられた電荷を用いて、収音された前記音声信号を前記受信機に送信する、
マイク装置。
【請求項２】
前記電流抑制部は、
第１インピーダンスを有し、前記電池からの電流を抑制する第１抑制回路と、
前記第１インピーダンスより高い又は低いインピーダンスに切替可能であって、前記電池からの電流を抑制する第２抑制回路と、
前記コンデンサに蓄えられた電荷をモニタし、前記電荷に応じて前記第２抑制回路のインピーダンスを切り替えるモニタ回路と、を有し、
前記モニタ回路は、
前記電荷が所定量を超えたと判断した場合に、前記第２抑制回路のインピーダンスを前記第１インピーダンスより低くなるように切り替える、
請求項１に記載のマイク装置。
【請求項３】
前記モニタ回路は、
前記電荷が前記所定量を超えたと判断した場合に、更に、前記複数の変圧部のそれぞれを起動させるための起動信号を前記複数の変圧部のそれぞれに出力する、
請求項２に記載のマイク装置。
【請求項４】
前記複数の変圧部のそれぞれは、
接続された負荷に応じて、前記電池により印加された電圧を昇圧するアップコンバータ、を少なくとも有し、
第ｋ（ｋ：２〜ｎ、ｎ：変圧部の総数を示す正の整数）番目のアップコンバータは、第（ｋ−１）番目のアップコンバータが起動した後に起動する、
請求項１に記載のマイク装置。
【請求項５】
前記複数の変圧部のそれぞれは、
接続された負荷に応じて、前記電池により印加された電圧を昇圧するアップコンバータと、
前記アップコンバータの出力電圧を基に、前記接続された負荷の動作に必要な電圧を前記負荷に出力するレギュレータと、を有する、
請求項１〜３のうちいずれか一項に記載のマイク装置。
【手続補正２】
【補正対象書類名】明細書
【補正対象項目名】０００７
【補正方法】変更
【補正の内容】
【０００７】
本開示は、収音された音声信号を無線で受信機に送信するマイク装置であって、１本の電池と、前記電池と直列に接続され、所定容量を有するコンデンサを有して前記電池からの電流を抑制する電流抑制部と、前記電流抑制部と複数の負荷のそれぞれとの間で直列に接続され、前記電流抑制部の出力に基づいて、それぞれ接続される負荷に応じた電圧を出力する複数の変圧部と、前記負荷として、前記受信機との間で時分割多重通信方式を用いた無線通信を行う無線通信部と、を備え、前記無線通信部は、前記電池からの電流により前記コンデンサに蓄えられた電荷を用いて、収音された前記音声信号を前記受信機に送信する。